【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
クライアントからのリクエストに応じてＷｅｂサービスを実行するアプリケーションを搭載した複数のサーバ装置と、該クライアントからのリクエストを前記複数のサーバ装置の１つに送信する負荷分散装置とを備える情報処理システムにおいて、
前記負荷分散装置は、
前記クライアントからのリクエストに前記サーバ装置で生成した接続履歴情報が含まれるか否かを判断する接続履歴情報判断手段と、
前記接続履歴情報判断手段の判断結果に応じて、前記クライアントからのリクエストの送信先である前記複数のサーバ装置の１つを決定するサーバ決定手段とを有し、
前記サーバ装置は、
前記クライアントからのリクエストに特定の記述が含まれるか否かを判断する特定記述判断手段と、
前記クライアントからのリクエストに応じて前記アプリケーションの処理を実行し前記クライアントへの応答を生成する処理手段とを有し、
前記特定記述判断手段の判断の結果、前特定の記述が含まれると判断される場合には、前記処理手段は接続履歴情報を生成し、前記クライアントへの応答へ付加することを特徴とする情報処理システム。
【請求項２】
前記クライアントからのリクエストに含まれる前記特定の記述とは、ＵＲＬに含まれるテストモード表わす記述又は前記複数のサーバ装置の１つを指定する記述であることを特徴とする請求項１に記載の情報処理システム。
【請求項３】
前記接続履歴情報判断手段が、前記クライアントからのリクエストに前記接続履歴情報が含まれると判断した場合には、前記サーバ決定手段は、前記接続履歴情報内のサーバ指定情報に従って送信先のサーバ装置を決定し、
前記接続履歴情報判断手段が、前記クライアントからのリクエストに前記接続履歴情報が含まれないと判断した場合には、前記サーバ決定手段は、ラウンドロビン方式で送信先のサーバ装置を決定する
ことを特徴とする請求項１に記載に情報処理システム。
【請求項４】
前記サーバ装置が生成する前記接続履歴情報は、前記サーバ装置への接続指定情報を含むクッキー情報であることを特徴とする請求項１又は３に記載に情報処理システム。
【請求項５】
クライアントからのリクエストに応じてＷｅｂサービスを実行するアプリケーションを搭載したサーバ装置であって、
通信媒体を介してクライアントからのリクエストを複数の前記サーバ装置の１つに送信する負荷分散装置に接続され、
前記クライアントからのリクエストに特定の記述が含まれるか否かを判断する特定記述判断手段と、
前記クライアントからのリクエストに応じて前記アプリケーションの処理を実行し前記クライアントへの応答を生成する処理手段とを有し、
前記特定記述判断手段の判断の結果、前特定の記述が含まれると判断される場合には、前記処理手段は接続履歴情報を生成し、前記クライアントへの応答へ付加する
ことを特徴とするサーバ装置。
【請求項６】
前記クライアントからのリクエストに含まれる前記特定の記述とは、ＵＲＬに含まれるテストモード表わす記述又は前記複数のサーバ装置の１つを指定する記述であることを特徴とする請求項５の記載のサーバ装置。
【請求項７】
前記サーバ装置が生成する前記接続履歴情報は、前記サーバ装置への接続指定情報を含むクッキー情報であることを特徴とする請求項５に記載のサーバ装置。
【請求項８】
通信媒体を介して、情報処理装置からのリクエストに応じてＷｅｂサービスを実行するアプリケーションを搭載した複数のサーバ装置と、該情報処理装置からのリクエストを前記複数のサーバ装置の１つに送信する負荷分散装置とに接続された情報処理装置であって、
前記リクエストとしてＵＲＬに、テストモード表わす記述又は前記複数のサーバ装置の１つを指定する特定の記述を含める特定モード指定手段と、
前記特定の記述を含むリクエストを前記付加分散装置に送信する送信手段と、
前記特定の記述を含むリクエストに基づいて前記複数のサーバ装置の１つが生成した接続履歴情報を含む前記サーバ装置からの応答を受信する受信手段と、
前記接続履歴情報を保持する保持手段と
を有することを特徴とする情報処理装置。
【請求項９】
前記サーバ装置が生成する前記接続履歴情報は、前記サーバ装置への接続指定情報を含むクッキー情報であることを特徴とする請求項８記載の情報処理装置。
【請求項１０】
クライアントからのリクエストに応じてＷｅｂサービスを実行するアプリケーションを搭載した複数のサーバ装置と、該クライアントからのリクエストを前記複数のサーバ装置の１つに送信する負荷分散装置を備える情報処理システムの制御方法であって、
前記負荷分散装置は、
前記クライアントからのリクエストに前記サーバ装置で生成した接続履歴情報が含まれるか否かを判断する接続履歴情報判断工程と、
前記接続履歴情報判断工程の判断結果に応じて、前記クライアントからのリクエストの送信先である前記複数のサーバ装置の１つを決定するサーバ決定工程とを実行し、
前記サーバ装置は、
前記クライアントからのリクエストに特定の記述が含まれるか否かを判断する特定記述判断工程と、
前記クライアントからのリクエストに応じて前記アプリケーションの処理を実行し、前記クライアントへの応答を生成する処理工程とを実行し、
前記特定記述判断工程の判断の結果、前特定の記述が含まれると判断される場合には、前記処理工程は接続履歴情報を生成し、前記クライアントへの応答へ付加する
ことを特徴とする情報処理システムの制御方法。
【請求項１１】
前記クライアントからのリクエストに含まれる前記特定の記述とは、ＵＲＬに含まれるテストモード表わす記述又は前記複数のサーバ装置の１つを指定する記述であることを特徴とする請求項１０に記載の情報処理システムの制御方法。
【請求項１２】
前記接続履歴情報判断工程が、前記クライアントからのリクエストに前記接続履歴情報が含まれると判断した場合には、前記サーバ決定工程は、前記接続履歴情報内のサーバ指定情報に従って送信先のサーバ装置を決定し、
前記接続履歴情報判断工程が、前記クライアントからのリクエストに前記接続履歴情報が含まれないと判断した場合には、前記サーバ決定工程は、ラウンドロビン方式で送信先のサーバ装置を決定する
ことを特徴とする請求項１０に記載に情報処理システムの制御方法。
【請求項１３】
前記サーバ装置が生成する前記接続履歴情報は、該サーバ装置への接続指定情報を含むクッキー情報であることを特徴とする請求項１０又は１２に記載に情報処理システムの制御方法。
【請求項１４】
クライアントからのリクエストに応じてＷｅｂサービスを実行するアプリケーションを搭載し、通信媒体を介して前記クライアントからのリクエストを複数の前記サーバ装置の１つに送信する負荷分散装置に接続されたサーバ装置の制御方法であって、
前記クライアントからのリクエストに特定の記述が含まれるか否かを判断する特定記述判断工程と、
前記クライアントからのリクエストに応じて前記アプリケーションの処理を実行し、前記クライアントへの応答を生成する処理工程とを有し、
前記特定記述判断工程の判断の結果、前特定の記述が含まれると判断される場合には、前記処理工程は接続履歴情報を生成し、前記クライアントへの応答へ付加することを特徴とするサーバ装置の制御方法。
【請求項１５】
通信媒体を介して、情報処理装置からのリクエストに応じてＷｅｂサービスを実行するアプリケーションを搭載した複数のサーバ装置と、該情報処理装置からのリクエストを前記複数のサーバ装置の１つに送信する負荷分散装置とに接続された情報処理装置の制御方法であって、
前記リクエストとしてＵＲＬに、テストモード表わす記述又は前記複数のサーバ装置の１つを指定する特定の記述を含める特定モード指定工程と、
前記特定の記述を含むリクエストを前記負荷分散装置に送信する送信工程と、
前記特定の記述を含むリクエストに基づいて前記複数のサーバ装置の１つが生成した接続履歴情報を含む前記サーバ装置からの応答を受信する受信工程と、
前記接続履歴情報を保持する保持工程と、
を有することを特徴とする情報処理装置の制御方法。
【請求項１６】
請求項１０乃至１５のいずれか１項に記載の制御方法をコンピュータに実行させるためのプログラム。
【請求項１７】
請求項１６記載のプログラムを格納したコンピュータで読み取り可能な記憶媒体。